(57)【特許請求の範囲】
【請求項１】
正面が開口され裏板がほぼ垂直な被取付面にほぼ平行に取り付けられる箱状のパネル本体と、該パネル本体の正面側に被嵌されて固着される断面がコ字状とされた上面パネルとからなる機器ケースであって、
前記被取付面に取り付けられた際に下面となる前記パネル本体の側板に、収納された電子回路基板に組まれた電子回路の動作状態を示す表示素子を前記側板から突出させるための孔部が設けられ、前記パネル本体の裏板は前記側板を超えて延伸されており、
前記上面パネルにおける前記側板側には、前記パネル本体に被嵌された際に前記パネル本体の前記側板より下方へ突出するスカート部が形成されており、前記表示素子の点灯状態を前記上面パネル側から視認できるように、前記スカート部の一部が切り欠かれていることを特徴とする機器ケース。
【請求項２】
電源供給用のケーブルを導入するためのブッシングの周側面に形成されている溝部が挿入されるＵ字状の嵌入溝が、前記パネル本体の前記側面に形成されており、前記溝部を前記嵌入溝に嵌入した後に前記上面パネルを前記パネル本体に被嵌することにより、前記上面パネルに形成されている前記スカート部が前記ブッシングの前記周側面に当接して、前記ブッシングが前記取付孔から抜け出ないようになることを特徴とする請求項１記載の機器ケース。
【発明の詳細な説明】
【技術分野】
【０００１】
本発明は、収納された電子回路基板における電子回路の動作状態を示す表示素子を備える機器ケースに関する。
【背景技術】
【０００２】
従来の電子機器は、電子回路が組まれた電子回路基板を収納する機器ケースを有している。このような従来の電子機器１００の構成例を示す正面図を図７に示す。電子機器１００は機器ケース１０２を備え、機器ケース１０２内に電子回路が組まれた電子回路基板が収納されている。機器ケース１０２は、正面が開口された箱状のパネル本体１１０と、パネル本体１１０の正面側に被嵌されてネジ止めされている断面コ字状の上面パネル１１１とから構成されている。パネル本体１１０の裏板の上辺には引っ掛け片１１０ａが延伸されて形成されている。この引っ掛け片１１０ａは、電子機器１００を壁面等に取り付ける際に壁面から突出するよう設けられたフックに引っ掛けるようにされている。また、裏板の下辺はパネル本体１１０の下面の側板を超えて延伸されており、延伸された部位には電子機器１００を取り付けるためのネジ穴が一対形成されている。この電子機器１００は、例えばアンテナで受信したテレビ信号等を増幅してテレビ受像器に供給する増幅器装置や光信号を受信して電気信号に変換・増幅して受信器に供給する光受信器とされている。
【０００３】
この電子機器１００を壁面等の垂直な面に取り付けた際に、パネル本体１１０の下面となる側板には一対の同軸端子１１３および光信号が入力される光端子１１５が設けられている。さらに、電子機器１００を壁面等の垂直な面に取り付けた際に、パネル本体１１０の上面となる側板には電子機器１００に電源を供給するＡＣコードを導入するための可撓性を有するブッシング１１４が設けられている。また、収納されている電子回路基板に組まれた電子回路の動作状態を示す一対のＬＥＤ（Light Emitting Diode：発光ダイオード）１１２が電子回路基板に設けられている。このＬＥＤ１１２の点灯状態は上面パネル１１１に形成された表示孔を介して確認することができる。このＬＥＤ１１２は、例えば電源のオン状態やアラームの状態を点灯状態により表示している。
【発明の開示】
【発明が解決しようとする課題】
【０００４】
従来の電子機器１００においては、電子回路の動作状態を表示しているＬＥＤ１１２の点灯状態は、機器ケース１０２の正面とされる一方向からしか確認することができない構造となっているため、ＬＥＤ１１２の点灯状態を見るには見える方向に移動して確認しなければならないという問題点があった。なお、表示素子に樹脂製の光ガイドなどの専用の別部品を取り付けることで多方向から確認することができるようになるが、別部品が必要になると共に構造が複雑になったり、コストも高くなってしまうようになる。また、機器ケース１０２を取り付けた際の正面側にＬＥＤ１１２の頭部を突出させる構造も考えられるが、機器ケース１０２の外表面からＬＥＤ１１２が無防備に突出することになり、ＬＥＤ１１２に物が衝突しやすく衝突した際にＬＥＤ１１２が壊れてしまうようになる。
【０００５】
そこで、本発明は電子機器が壁面等の垂直な面に取り付けられた際に、多方向から表示素子の点灯状態を確認することができる機器ケースを提供することを目的としている。
【課題を解決するための手段】
【０００６】
上記目的を達成するために、本発明の機器ケースは、被取付面に取り付けられた際に下面となるパネル本体の側板に、表示素子を側面から突出させるための挿入孔が設けられ、パネル本体の裏板は側板を超えて延伸されており、パネル本体の側板より突出する上面パネルのスカート部の一部が切り欠かれて、表示素子の点灯状態を上面パネル側から視認できることを最も主要な特徴としている。
【発明の効果】
【０００７】
本発明は、取付面に取り付けられた際に下面となるパネル本体の側面に、表示素子を側面から突出させるための挿入孔が設けられ、パネル本体の側面より突出する上面パネルのスカート部の一部が切り欠かれていることから、表示素子の点灯状態を下方から確認することができると共に、上面パネル側から視認することができるようになる。これにより、機器ケースがほぼ垂直な取付面の上段に取り付けられても、あるいは、中段や下段に取り付けられても表示素子の点灯状態を確認することができるようになる。また、表示素子が側板から突出していても、裏板が側板を超えて延伸されていることから表示素子に物が衝突して壊されることを防止することができる。
【発明を実施するための最良の形態】
【０００８】
本発明の実施例の機器ケースを備える電子機器の構成を図１ないし図３に示す。図１は本発明の実施例の機器ケースを備える電子機器の構成を示す正面図であり、図２はその電子機器の構成を示す下面図であり、図３はその電子機器の構成を示す側面図である。
これらの図に示す電子機器１は、金属製とされた機器ケース２を備え、機器ケース２内には増幅器等の電子回路が組まれた電子回路基板が収納されている。機器ケース２は、正面が開口された箱状のパネル本体１０と、パネル本体１０の正面に被嵌されて正面および側面に複数本の取付ネジ１９によりネジ止めされている断面コ字状の上面パネル１１とから構成されている。パネル本体１０の裏板１０ｃの上辺には引っ掛け片１０ａが形成されている。この引っ掛け片１０ａは、電子機器１を壁面等に取り付ける際に壁面から突出するよう設けられたフックに引っ掛けるようにされている。また、裏板１０ｃの下辺はパネル本体１０の下面となる側板１０ｂを超えて延伸しており、裏板１０ｃの延伸された部位には電子機器１を壁面等に取り付けるためのネジ穴が一対形成されている。この電子機器１は、例えばアンテナで受信したテレビ信号等を増幅してテレビ受像器に供給する増幅器装置や光信号を受信して電気信号に変換・増幅して受信器に供給する光受信器とされている。上面パネル１１の正面側には増幅装置あるいは光受信器の電気的特性を調整する複数の調整孔１１ａと、アッテネータ（ＡＴＴ）のレベルを調整するＡＴＴ調整孔１１ｂとが設けられている。
【０００９】
この電子機器１を壁面等の垂直な面に取り付けた際に、パネル本体１０の下面となる側板１０ｂには電子機器１に光信号を入力する光端子１５と、出力端子および出力モニタ端子とされる一対の同軸端子１３が設けられている。さらに、収納されている電子回路基板に組まれた電子回路の動作状態を示す一対のＬＥＤ（Light Emitting Diode：発光ダイオード）１２が、この側板１０ｂから突出するよう設けられている。ＬＥＤ１２は、電子回路基板に設けられており、ＬＥＤ１２の頭部が側板１０ｂを貫通して側板１０ｂから図示するように突出するようになる。また、上記側板１０ｂには電子機器１に電源を供給する先端にプラグ１７を備えるＡＣコードとされるケーブル１６を機器ケース２内に導入するための可撓性を有するブッシング１４が設けられている。また、このＬＥＤ１２は、例えば電源のオン状態やアラームの状態を点灯状態により表示している。なお、側板１０ｂ側の上面パネル１１の下辺は側板１０ｂより下方へ延伸されてスカート部１１ｄが形成されている。そして、ＬＥＤ１２が電子機器１の正面からも視認できるように、ＬＥＤ１２の位置に対応するスカート部１１ｄに切欠１１ｃが形成されている。
【００１０】
次に、図４にパネル本体１０の下面となる側板１０ｂの構成の詳細を断面図で示す。図４に示すように、パネル本体１０の裏板１０ｃにおいて下方へ延伸している部位には、機器ケース２に電気的に接続されるようにアース端子１８がネジ１８ａにより取り付けられている。また、側板１０ｂは長軸方向の両端部が折曲されて断面コ字状に形成されており、折曲された一端部がパネル本体１０の裏板１０ｃに固着されていると共に、折曲された他端部に上面パネル１１が取付ネジ１９により取り付けられている。また、側板１０ｂの外側にはほぼ同形状の矩形とされた化粧パネル２０が設けられており、側板１０ｂおよび化粧パネル２０を貫通して同軸端子１３およびＬＥＤ１２が取り付けられて、ＬＥＤ１２の頭部が化粧パネル２０から下方へ突出している。上面パネル１１の下部には化粧パネル２０より下方へ延伸しているスカート部１１ｄが形成されており、スカート部１１ｄの一部にＬＥＤ１２を視認するための切欠１１ｃが形成されている。突出しているＬＥＤ１２の頭部は、裏板１０ｃの側板１０ｂを超えて延伸している部位と、上面パネル１１のスカート部１１ｄにより保護されて物が衝突することが防止されている。
【００１１】
次に、パネル本体１０の下面となる側板１０ｂにブッシング１４を取り付けた構成を図５に示し、パネル本体１０の構成を示す下面図を図６に示す。
これらの図に示すように、金属製のパネル本体１０は、ほぼ矩形の裏板１０ｃのおもて面に、４枚の側板を裏板１０ｃの上下左右にそれぞれ固着して箱状に形成されている。側板のうちの下面となるのが側板１０ｂとされている。裏板１０ｃと４枚の側板とはネジ止めあるいはスポット溶接により固着されており、側板同士もネジ止めあるいはスポット溶接により固着されている。側板１０ｂには、上下が円弧で両側が平行な直線とされた同軸端子１３を取り付けるための一対の同軸端子孔１０ｄと、光端子１５を取り付けるための矩形の光端子孔１０ｇが設けられている。また、側板１０ｂの上縁からほぼ中央までＬＥＤ１２が挿通される一対のＬＥＤ挿通溝１０ｅが形成されていると共に、ブッシング１４の周側面に形成されている溝部１４ｂが嵌入されるＵ字状の嵌入溝１０ｆが、側板１０ｂの上縁から形成されている。
【００１２】
ブッシング１４は、図５に示すようにＡＣケーブルとされるケーブル１６を保持する可撓性を有する保持部１４ｄと、保持部１４ｄの端部に形成された図２に示すように矩形状とされた鍔部１４ａと、鍔部１４ａと拡径部１４ｃとの間に形成されている溝部１４ｂと、溝部１４ｂを形成するよう径が大きくされた拡径部１４ｃとから構成されている。電子機器１を組み立てる際には、まず、パネル本体１０内に電子回路基板を収納して固着する。この際に、電子回路基板に設けられているＬＥＤ１２を側板１０ｂに形成されているＬＥＤ挿通溝１０ｅ内に挿通しながら電子回路基板をパネル本体１０内に収納していく。次いで、側板１０ｂに一対の同軸端子１３を螺着すると共に、光端子１５をネジ止めし、一対の同軸端子１３を収納された電子回路基板にハンダ付け等により接続する。次いで、化粧パネル２０により側板１０ｂを覆うように貼着等により取り付ける。この場合、化粧パネル２０にはＬＥＤ１２、同軸端子１３、光端子１５が挿通される挿通孔と嵌入溝１０ｆとほぼ同形状の嵌入溝が形成されている。さらに、電子回路基板から導出されたケーブル１６に中途に設けられているブッシング１４の溝部１４ｂを、側板１０ｂに形成されている嵌入溝１０ｆおよび化粧パネル２０に形成されている嵌入溝内に嵌入する。そして、パネル本体１０の開口面を覆うように正面から金属製の上面パネル１１を被嵌し複数本の取付ネジ１９により、上面パネル１１をパネル本体１０に取り付ける。これにより、機器ケース２を備える電子機器１を組み立てることができる。
【産業上の利用可能性】
【００１３】
以上説明した本発明にかかる機器ケースを備える電子機器においては、下面からＬＥＤが突出するよう取り付けられているため、電子機器が壁面や柱の高い位置に取り付けられてもＬＥＤの発光状態を容易に確認することができる。また、電子機器が低い位置に取り付けられてもスカート部に形成された切欠を通してＬＥＤの発光状態を確認することができるようになる。また、ＬＥＤが側板から突出していても、裏板が側板を超えて延伸されていると共に、スカート部が上面パネルに形成されていることからＬＥＤに物が衝突して壊されることを防止することができる。
また、本発明にかかる機器ケースを備える電子機器は、増幅器装置や光受信器のみに適用されるものではなく、種々の表示手段を備える電子機器に適用することができる。
【図面の簡単な説明】
【００１４】
【図１】本発明の実施例の機器ケースを備える電子機器の構成を示す正面図である。
【図２】本発明の実施例の機器ケースを備える電子機器の構成を示す下面図である。
【図３】本発明の実施例の機器ケースを備える電子機器の構成を示す側面図である。
【図４】本発明の実施例の機器ケースを備える電子機器において、側板の構成の詳細を示す断面図である。
【図５】本発明の実施例の機器ケースを備える電子機器において、側板にブッシングを取り付けた構成を示す図である。
【図６】本発明の実施例の機器ケースを備える電子機器において、パネル本体の構成を示す図である。
【図７】従来の機器ケースを備える電子機器の構成を示す正面図である。
【符号の説明】
【００１５】
１  電子機器、２  機器ケース、１０  パネル本体、１０ａ  引っ掛け片、１０ｂ  側板、１０ｃ  裏板、１０ｄ  同軸端子孔、１０ｅ  挿通溝、１０ｆ  嵌入溝、１０ｇ  光端子孔、１１  上面パネル、１１ａ  調整孔、１１ｂ  調整孔、１１ｃ  切欠、１１ｄ  スカート部、１２  ＬＥＤ、１３  同軸端子、１４  ブッシング、１４ａ  鍔部、１４ｂ  溝部、１４ｃ  拡径部、１４ｄ  保持部、１５  光端子、１６  ケーブル、１７  プラグ、１８  アース端子、１８ａ  ネジ、１９  取付ネジ、２０  化粧パネル、１００  電子機器、１０２  機器ケース、１１０  パネル本体、１１０ａ  引っ掛け片、１１１  上面パネル、１１２  ＬＥＤ、１１３  同軸端子、１１４  ブッシング、１１５  光端子
【図１】
0004902506.tif 000002
【図２】
0004902506.tif 000003
【図３】
0004902506.tif 000004
【図４】
0004902506.tif 000005
【図５】
0004902506.tif 000006
【図６】
0004902506.tif 000007
【図７】
0004902506.tif 000008